(57)【要約】      （修正有）【課題】カレンダー方式の手法を採用しながらも、カレンダーとしての機能を第１とするのでは無く、交通事故の多発日であることの注意喚起することを第１の機能として持たせた事故防止啓発用具を提供する。【解決手段】ベース体に表示された数字１，２，３，……，Ｎのシンボルマークとを具備してなる事故防止啓発用具であって、シンボルマークは、該Ｎ個のシンボルマーク全体で所定の模様が構成されるよう配置し、中でも、事故が多く発生している特異日に該当する数字Ｋのシンボルマークは、他の数字のシンボルマークの中でも目立つ位置に配置し、特異日に該当する数字Ｋのシンボルマーク以外のシンボルマークは、数字の昇・降順に配置し、そして、前記目立つ位置に配置した特異日に該当する数字Ｋのシンボルマークと特異日に該当しない数字のシンボルマークとは異なる色で表示した。【選択図】図１
2005219318.tif 000002
【特許請求の範囲】
【請求項１】
ベース体と、このベース体に表示された数字１，２，３，……，Ｎ（Ｎは２８，２９，３０又は３１であって、該当月の末日の数字）のシンボルマークとを具備してなる事故防止啓発用具であって、
前記数字１，２，３，……，Ｎのシンボルマークは、該Ｎ個のシンボルマーク全体で所定の模様が構成されるよう配置されており、
中でも、事故が多く発生している特異日に該当する数字Ｋのシンボルマークは前記ベース体に表示されている数字のシンボルマークの中でも目立つ位置に配置されており、
しかも、Ｎ個のシンボルマーク全体では、数字１，２，３，……，Ｎの昇・降順には配置されておらず、
そして、前記目立つ位置に配置された特異日に該当する数字Ｋのシンボルマークと特異日に該当しない数字のシンボルマークとは異なる色で表示されている
ことを特徴とする事故防止啓発用具。
【請求項２】
特異日に該当する数字Ｋのシンボルマーク以外のシンボルマークは、数字１，２，３，……，Ｎの昇・降順に配置されていることを特徴とする請求項１の事故防止啓発用具。
【請求項３】
事故を表す事故特定色でシンボルマークを覆う事故表示体と、無事故を表す安全特定色でシンボルマークを覆う無事故表示体とを更に有してなり、
事故日には該日の数字のシンボルマークを前記事故表示体で覆い、無事故日には該日の数字のシンボルマークを前記無事故表示体で覆うようにしたことを特徴とする請求項１又は請求項２の事故防止啓発用具。
【発明の詳細な説明】
【技術分野】
【０００１】
本発明は、例えば交通事故を出来るだけ起きないようにする為の事故防止啓発用具に関する。
【背景技術】
【０００２】
晴・雨の天気を調べた場合、例えば１０月１０日は晴の確率が非常に高いことが知られている。すなわち、理由は判然としないものの、天気に特異日が有ることは良く知られている。これと同様に、日本損害保険協会の研究報告によれば、実は、交通事故についても、○月×日は交通事故の発生する確率が非常に高いことが判って来ている。すなわち、警察庁の交通事故情報のデータを基に詳細な分析が行われた処、統計的に見て、明かに、通常のレベルより多く事故が発生する日の存在することが見出された。つまり、曜日に関係なく、特定の日に何らかの原因で事故が集中していることが判って来た。
【０００３】
このような知見を基にして、図６に示される如く、交通危険日カレンダーが提案（ＣＲＡＳＨ＆ＩＮＳＵＲＡＮＣＥ（Vol.19,2001））されている。すなわち、交通事故情報のデータを基にして得られた事故特異日を記載したカレンダーが提案されている。図６の例で言うと、６日と３１日とは特別に事故が多発している事故特異日であり、その旨が「特危」として当該日の欄に記載されている。そして、６日と３１日には事故が特に多く発生していることから、注意して下さいと言う事故防止の啓発がなされているのである。
【０００４】
又、上記提案に似通った交通事故防止カレンダーが提案（特開平１０−１９３８３５号）されている。
【０００５】
【非特許文献１】ＣＲＡＳＨ＆ＩＮＳＵＲＡＮＣＥ（Vol.19,2001）
【特許文献１】特開平１０−１９３８３５号公報
【発明の開示】
【発明が解決しようとする課題】
【０００６】
上記の交通危険日カレンダーによれば、６日と３１日とは交通事故が多発している日であるから、ドライバーは気を付けて下さいとの注意喚起がなされている。
【０００７】
ところで、この注意喚起は１，２，３，４，５，６，……，２８，２９，３０，３１と順に並んだ日の余白部に「特危」と記載されたに過ぎないことから、事故防止に対する注意喚起がもう一つのものであった。
【０００８】
この注意喚起が乏しい原因についての検討が鋭意押し進められて行った結果、これは、カレンダーとしての機能が第１のものであり、これに付随して事故多発の注意喚起がなされているからであろうことに気付いた。すなわち、カレンダーであるところから、今日は何日であるかを知るのが第１の目的であり、これに伴って今日が交通事故の特異日であることを付随的に知る程度に過ぎなかったのである。従って、今日が何日かを求めなければ、今日が交通事故の特異日であることには気付かず、注意喚起にもう一つの結果となってしまっていたのである。
【０００９】
従って、カレンダー方式以外の手法によって注意喚起を図ることが好ましいことが判って来た。
【００１０】
しかしながら、○月×日が交通事故の多発日である旨を知らせなければ意味は無い。すなわち、日を全く無視する訳には行かない。
【００１１】
よって、本発明が解決しようとする課題は、カレンダー方式の手法を採用しながらも、カレンダーとしての機能を第１とするのでは無く、飽くまでも○月×日が交通事故の多発日であることの注意喚起を第１の機能として持たせた事故防止啓発用具（例えば、交通危険日カレンダーとか交通事故防止カレンダー）を提供することである。
【課題を解決するための手段】
【００１２】
前記の課題は、ベース体と、このベース体に表示された数字１，２，３，……，Ｎ（Ｎは２８，２９，３０又は３１であって、該当月の末日の数字）のシンボルマークとを具備してなる事故防止啓発用具であって、
前記数字１，２，３，……，Ｎのシンボルマークは、該Ｎ個のシンボルマーク全体で所定の模様が構成されるよう配置されており、
中でも、事故が多く発生している特異日に該当する数字Ｋのシンボルマークは前記ベース体に表示されている数字のシンボルマークの中でも目立つ位置に配置されており、
しかも、Ｎ個のシンボルマーク全体では、数字１，２，３，……，Ｎの昇・降順には配置されておらず、
そして、前記目立つ位置に配置された特異日に該当する数字Ｋのシンボルマークと特異日に該当しない数字のシンボルマークとは異なる色で表示されている
ことを特徴とする事故防止啓発用具によって解決される。
【００１３】
特に、ベース体と、このベース体に表示された数字１，２，３，……，Ｎ（Ｎは２８，２９，３０又は３１であって、該当月の末日の数字）のシンボルマークとを具備してなる事故防止啓発用具であって、
前記数字１，２，３，……，Ｎのシンボルマークは、該Ｎ個のシンボルマーク全体で所定の模様が構成されるよう配置されており、
中でも、事故が多く発生している特異日に該当する数字Ｋのシンボルマークは前記ベース体に表示されている数字のシンボルマークの中でも目立つ位置に配置されており、
しかも、Ｎ個のシンボルマーク全体では、数字１，２，３，……，Ｎの昇・降順には配置されておらず、
しかしながら、特異日に該当する数字Ｋのシンボルマーク以外のシンボルマークは、数字１，２，３，……，Ｎの昇・降順に配置されており、
そして、前記目立つ位置に配置された特異日に該当する数字Ｋのシンボルマークと特異日に該当しない数字のシンボルマークとは異なる色で表示されている
ことを特徴とする事故防止啓発用具によって解決される。
【００１４】
そして、上記の事故防止啓発用具は、更に、事故を表す事故特定色でシンボルマークを覆う事故表示体と、無事故を表す安全特定色でシンボルマークを覆う無事故表示体とを有し、
事故日には該日の数字のシンボルマークを前記事故表示体で覆い、無事故日には該日の数字のシンボルマークを前記無事故表示体で覆うようにしたことを特徴とする事故防止啓発用具によっても解決される。
【発明の効果】
【００１５】
これまでの交通危険日カレンダーとか交通事故防止カレンダーと称されるカレンダーは、上記した通り、カレンダーとしての機能を第１のものとしたから、交通事故の多発日である旨の注意喚起が第２以下のものとなってしまっていた。
【００１６】
これに対して、本発明にあっては、例えば交通事故の多発日である特異日を、1，２，３，４，５，６，……，２８，２９，３０，３１と言った日順に従って表示するのを第１にはしないで、先ず、事故の特異日が目立つ位置に配置することにした。
【００１７】
従って、これを見た場合、先ず、第１に、事故の特異日が何日であるかの情報が頭にインプットされるようになる。すなわち、今日が何日であるかの情報が頭にインプットされる前に、事故の特異日が何日であるかの情報がインプットされる訳であるから、注意喚起が第１になされ、次いで今日が何日であるかの情報が頭にインプットされるようになる。
【００１８】
従って、事故に対する啓発効果は高く、事故防止に極めて効果的なことが予期される。
【００１９】
尚、目立つ位置とは、眼球運動上の注視点が集中すると言う心理学上の知見に従って決められる。例えば、Ｎ個のシンボルマーク全体で構成される模様が文字の場合には、注視点が集中する位置（目立つ位置）は、線が交差する部分である。模様が顔である場合には、鼻から口にかけての特徴ある部分である。又、端部も目立つ位置である。尚、模様が決まった場合、当該位置が目立つ位置であるか否かは、上記のような判断基準で決められ得る。しかしながら、上記基準によっても具体的には決められないような場合、複数のパネラーに質問し、その回答を基にして、その模様の如何なる位置が目立つ位置であるかを決めるようにすることも出来る。
【００２０】
本発明では、特異日が、先ず、目立つ位置に配置されるようにした。特異日以外の配列は、極論すれば、如何なる配列でも良い。
【００２１】
しかしながら、カレンダーとしの機能を全く無視してしまったのでは、今日が何日であるかを知ることが出来なくなる。従って、特異日以外の数字の配列については、カレンダー方式を採用することが大事である。例えば、「１日、２日、３日、４日、５日、６日、７日、……、２８日、２９日、３０日、３１日」の月において、６日と２８日とが特異日であったとするならば、１日〜５日、７日〜２７日、及び２９日〜３１日については、カレンダーの日と同様に左から右に向かって、そして上から下に向かって順に表示する。このように表示することで、６日と２８日以外、つまり事故特異日以外の日についてはカレンダーとしての機能（但し、曜日における曜の機能を欠く）が奏される。その結果、カレンダー機能をも有することから、注意が益々向けられるようになり、事故に対する啓発効果は高く、事故防止に極めて効果的なことが予期される。
【００２２】
ところで、本発明の事故防止啓発用具にあっては、事故を起こした日には該日の数字のシンボルマークを事故表示体で覆い、無事故日には該日の数字のシンボルマークを無事故表示体で覆うようにした。この為、Ｎ個のシンボルマークは全体で所定の模様が構成されるよう配置されているのであるが、例えば無事故表示体でＮ個のシンボルマークが覆われると所定の模様が特に鮮明に浮かび上がるようになるから、又、その中で事故を起こした事故表示体で何箇所かが覆われると事故の事が鮮明に浮かび上がるようになる。そして、無事故表示体による所定の模様形成と言うことは、その職場の全員による参加によって始めて達成されるものであり、この目的達成は全員の協力によって始めて出来ることから、互いの呼びかけによる全員参加の効果によって皆が事故防止を達成しようとする意欲が向上するようになる。そして、事故防止が益々図られるようになる。
【発明を実施するための最良の形態】
【００２３】
図１〜図５は本発明になる事故防止啓発用具（ポスターとかカレンダーと称されることもある。）の実施の形態を示すもので、図１は１１月のカレンダーに該当するように構成された事故防止啓発用具、図２は１２月のカレンダーに該当するように構成された事故防止啓発用具、図３は１月のカレンダーに該当するように構成された事故防止啓発用具、図４は２月のカレンダーに該当するように構成された事故防止啓発用具、図５は３月のカレンダーに該当するように構成された事故防止啓発用具である。
【００２４】
尚、事故が多く発生している特異日は、日本損害保険協会の研究報告によれば、下記の通りである。尚、現在までに発表されているデータは、１１月から３月までの日のものである。従って、本実施形態では、１１月から３月までのカレンダーが示される。残りの月についても、データが発表され次第に同様にして作成できる。
【００２５】
１１月１０日
１２月１日、１２月８日
１月１３日、１月１９日、１月２０日、１月２５日、１月２６日、
１月２７日、
２月１０日、２月１７日
３月２日
【００２６】
１１月のカレンダー（事故防止啓発用具）は、図１に示される如く構成されている。すなわち、１日〜３０日の枠全体で所定の模様が描かれるようになっている。１日〜３０日の枠は、１０日の枠を除いて、左から右に、そして上から下に、順に、並べられている。１１月１０日は事故が多発する特異日なので、数字「１０」が赤色で書されている。かつ、数字「１０」は、全体の中で目立つ位置に書されている。例えば、左下の位置である。残りの数字「１」「２」……「２８」「２９」「３０」は黒色で書されている。
尚、「１１月」が浮かび上がるように薄い色で書されている。
【００２７】
１２月のカレンダー（事故防止啓発用具）は、図２に示される如く構成されている。すなわち、１日〜３１日の枠全体で所定の模様が描かれるようになっている。１日〜３１日の枠は、１日と８日との枠を除いて、左から右に、そして上から下に、順に、並べられている。１２月１日と１２月８日とは事故が多発する特異日なので、数字「１」「８」が赤色で書されている。かつ、数字「１」「８」は、全体の中で目立つ位置に書されている。例えば、一番上の位置である。又、真中の位置である。残りの数字「２」「３」……「２９」「３０」「３１」は黒色で書されている。
尚、「１２月」が浮かび上がるように薄い色で書されている。
【００２８】
１月のカレンダー（事故防止啓発用具）は、図３に示される如く構成されている。すなわち、１日〜３１日の枠全体で所定の模様が描かれるようになっている。１日〜３１日の枠は、１３日と１９日と２０日と２５日と２６日と２７日との枠を除いて、左から右に、そして上から下に、順に、並べられている。１月１３日と１月１９日と１月２０日と１月２５日と１月２６日と１月２７日とは事故が多発する特異日なので、数字「１３」「１９」「２０」「２５」「２６」「２７」が赤色で書されている。かつ、数字「１３」「１９」「２０」「２５」「２６」「２７」は、全体の中で目立つ位置に書されている。例えば、端の位置である。残りの数字「１」「２」……「２９」「３０」「３１」は黒色で書されている。
尚、「１月」が浮かび上がるように薄い色で書されている。
【００２９】
２月のカレンダー（事故防止啓発用具）は、図４に示される如く構成されている。すなわち、１日〜２９日の枠全体で所定の模様が描かれるようになっている。１日〜２９日の枠は、１０日と１７日との枠を除いて、左から右に、そして上から下に、順に、並べられている。２月１０日と２月１７日とは事故が多発する特異日なので、数字「１０」「１７」が赤色で書されている。かつ、数字「１０」「１７」は、全体の中で目立つ位置に書されている。例えば、雪だるまにおける目の位置である。残りの数字「１」「２」……「２７」「２８」「２９」は黒色で書されている。
尚、「２月」が浮かび上がるように薄い色で書されている。
【００３０】
３月のカレンダー（事故防止啓発用具）は、図５に示される如く構成されている。すなわち、１日〜３１日の枠全体で所定の模様が描かれるようになっている。１日〜３１日の枠は、２日の枠を除いて、左から右に、そして上から下に、順に、並べられている。３月２日は事故が多発する特異日なので、数字「２」が赤色で書されている。かつ、数字「２」は、全体の中で目立つ位置に書されている。例えば、端の位置である。残りの数字「１」「３」……「２９」「３０」「３１」は黒色で書されている。
尚、「３月」が浮かび上がるように薄い色で書されている。
【００３１】
さて、上記のように構成された当該月のカレンダー（事故防止啓発用具）を、ドライバーが目にする。そうすると、事故多発の特異日が目立つ位置で、かつ、危険色で書されているから、ドライバーは特異日が頭にインプットされる。従って、特異日の車の運転には特に注意が払われるから、交通事故が起き難くなる。
【００３２】
又、ある程度カレンダーとしての機能も持っているから、通常のカレンダーを別に貼っておく必要も無い。
【００３３】
そして、事故を起こさなかった場合には、その当該日の欄に無事故・無違反の安全色、例えば青色のシールを貼る。
事故を起こした場合には、その当該日の欄に事故を起こしたことを直感させる色、例えば赤色のシールを貼る。
スピード違反などの違反を起こした場合には、その当該日の欄に違反を起こしたことを直感させる色、例えば黄色のシールを貼る。
【００３４】
そして、月の終わりには、当該月のカレンダーが青色・赤色・黄色のシールによって、所定の模様が描かれたものとなる。
従って、これを見ると、交通安全が守られているか否かが直ちに判るようになり、事故・違反が有った場合には、全員で気を付けようとの注意換気がなされるものとなる。すなわち、ポスター機能が奏される。
【００３５】
尚、上記にあっては、各々の月のカレンダーが別々の用紙に描かれている場合で説明したが、１月から１２月のカレンダーが一枚の用紙に描かれていても良い。
又、本明細書において、数字Ｋのシンボルマークとは、例えば枠の中に数字Ｋが書されている場合のみならず、数字Ｋのみが書されている場合も該当するものである。
【図面の簡単な説明】
【００３６】
【図１】本発明になる１１月の事故防止啓発用具の使用前の説明図
【図２】本発明になる１２月の事故防止啓発用具の使用前の説明図
【図３】本発明になる１１月の事故防止啓発用具の使用前の説明図
【図４】本発明になる２月の事故防止啓発用具の使用前の説明図
【図５】本発明になる３月の事故防止啓発用具の使用前の説明図
【図６】従来の交通危険日カレンダーの説明図                                         代  理  人  宇  高  克  己
【図１】
2005219318.tif 000003
【図２】
2005219318.tif 000004
【図３】
2005219318.tif 000005
【図４】
2005219318.tif 000006
【図５】
2005219318.tif 000007
【図６】
2005219318.tif 000008